(57)【要約】【課題】手に水をつけなることなく米研ぎでき、洗米後の米を容器内で保持できる洗米容器を提供する。【解決手段】有底筒状の第１のカップ１１及び第２のカップ１３の開口同士を対向させて連結し、内部に収容した米２６と水２７とを攪拌することにより米２６を洗米し、前記第２のカップ１３の底部に穿設した複数の排水孔２３より洗米した後の水２７を排出可能に構成した洗米容器１０において、前記第２のカップ１３の容量は、予め設定した洗米可能な米２６の量以上の体積としていることを特徴とする洗米容器１０である。【選択図】図１
2011234800.tif 000002
【特許請求の範囲】
【請求項１】
有底筒状の第１のカップ及び第２のカップの開口同士を対向させて連結し、内部に収容した米と水とを攪拌することにより米を洗米し、前記第２のカップの底部に穿設した複数の排水孔より洗米した後の水を排出可能に構成した洗米容器において、
前記第２のカップの容量は、予め設定した洗米可能な米の量以上の体積としていることを特徴とする洗米容器。
【請求項２】
前記第１のカップと前記第２のカップの開口同士の連結は、両カップの開口周縁に形成された雄ネジ部を、内壁に雌ネジが形成された環状の接続部材に螺入して接続することを特徴とする請求項１に記載の洗米容器。
【請求項３】
前記第２のカップの底部周縁には、前記排水孔を閉塞する蓋体を螺着可能で、かつ、前記接続部材の雌ネジに螺入可能な雄ネジ部が形成されていることを特徴とする請求項２に記載の洗米容器。
【発明の詳細な説明】
【技術分野】
【０００１】
本発明は、容器内に米と水を挿入して米研ぎする洗米容器に関する。
【背景技術】
【０００２】
従来、米研ぎは、計量カップで計量した米を炊飯器の容器やボール内に挿入して、その後、手で米同士を擦り合わせながら米を研いで、最後に、研ぎ水を捨てて炊飯時に必要な水を供給して炊飯する方法であった。このような米研ぎ方法では、冬の寒い時期においても、水に手をつけることが必要である。
【０００３】
そこで、例えば、特許文献１に記載のように、手に水をつけないで米研ぎできる米研ぎ器が開示されている。この洗米容器によれば、冬など寒い時期に手に水をつけることなく、米研ぎ作業ができる。また、米研ぎ時に研ぎ水を捨てる際、米と同時に捨ててしまうことがない。
【先行技術文献】
【特許文献】
【０００４】
【特許文献１】特開２００３−１３５５３７号公報
【発明の概要】
【発明が解決しようとする課題】
【０００５】
しかし、上記特許文献１に記載の洗米容器では、洗米後の米のみを保持することができなかった。また、洗米後に必要な水だけを計量する場合には、別の容器を準備して洗米後の米を保持する必要があった。
【０００６】
本発明は、斯かる事情に鑑みてなされたものであって、手に水をつけなることなく米研ぎでき、洗米後の米を容器内で保持できる洗米容器を提供する。また、本発明は、キャンプ地などで使用可能で、携帯性を有する洗米容器を提供する。
【課題を解決するための手段】
【０００７】
上記課題を解決するために、本願発明は、有底筒状の第１のカップ及び第２のカップの開口同士を対向させて連結し、内部に収容した米と水とを攪拌することにより米を洗米し、前記第２のカップの底部に穿設した複数の排水孔より洗米した後の水を排出可能に構成した洗米容器において、前記第２のカップの容量は、予め設定した洗米可能な米の量以上の体積としていることとした。
【０００８】
また、本発明に係る洗米容器では、以下の点にも特徴を有する。
（１）前記第１のカップと前記第２のカップの開口同士の連結は、両カップの開口周縁に形成された雄ネジ部を、内壁に雌ネジが形成された環状の接続部材に螺入して接続すること。
（２）前記第２のカップの底部周縁には、前記排水孔を閉塞する蓋体を螺着可能で、かつ、前記接続部材の雌ネジに螺入可能な雄ネジ部が形成されていること。
【発明の効果】
【０００９】
（１）請求項１に記載の洗米容器では、手を水に濡らすことなく米研ぎすることができ、携帯性を有するので、例えば、キャンプ用の飯盒に使用する洗米容器とすることができる。
【００１０】
また、第２のカップの容量が予め設定した洗米可能な米の量以上の体積としていることから、第２のカップに洗米後の米を保持することができ、第１のカップで必要な水のみを計量することができる。
【００１１】
これにより、例えば、洗米時には上水道の水を使用して米研ぎをするようにし、米研ぎ後には第２のカップに洗米後の米を保持するようにし、また、第１のカップには浄化された水を入れて計量して炊飯できるようにすることができる。
【００１２】
（２）請求項２に記載の洗米容器では、第１のカップに接続部材をねじ込み、また接続部材に第２のカップにねじ込むことによって、接続部材を介して第１のカップと第２のカップとを簡単に連結することができる。
【００１３】
（３）請求項３に記載の洗米容器では、第２のカップに蓋体を螺着可能としているので、米研ぎ時には蓋体を第２のカップにねじ込んで螺着し、米研ぎ後には蓋体を第２のカップから取り外しが容易に行える。
【図面の簡単な説明】
【００１４】
【図１】本発明に係る実施形態の洗米容器の全体構造を示す斜視図である。
【図２】本発明に係る実施形態の洗米容器の各部材の半割状の構造を示す断面図である。
【図３】本発明に係る実施形態の洗米容器の各部材の構造を示す正面図である。
【図４】本発明に係る実施形態の洗米容器により米研ぎする方法を説明する説明図である。
【図５】飯盒での使用例を示す斜視図である。
【発明を実施するための形態】
【００１５】
本発明は、有底筒状の第１のカップ及び第２のカップの開口同士を対向させて連結し、内部に収容した米と水とを攪拌することにより米を洗米し、前記第２のカップの底部に穿設した複数の排水孔より洗米した後の水を排出可能に構成した洗米容器において、前記第２のカップの容量は、予め設定した洗米可能な米の量以上の体積としていることを特徴とする洗米容器（米研ぎ器）を提供するものである。
【００１６】
また、別の特徴的構造として、前記第１のカップと前記第２のカップの開口同士の連結は、両カップの開口周縁に形成された雄ネジ部を、内壁に雌ネジが形成された環状の接続部材に螺入して接続する。
【００１７】
さらに、別の特徴的構造として、前記第２のカップの底部周縁には、前記排水孔を閉塞する蓋体を螺着可能で、かつ、前記接続部材の雌ネジに螺入可能な雄ネジ部が形成されている。
【実施例】
【００１８】
以下に、本発明の実施例について図面を参照しながら説明する。まず、洗米容器１０の構造について図１〜図３を参照して説明する。
【００１９】
図１〜図３に示すように、本実施例における洗米容器１０は、有底筒状の第１のカップ１１及び第２のカップ１３を有する。また、第１のカップ１１及び第２のカップ１３の開口同士を対向させて連結する接続部材１２を有する。さらに、第２のカップ１３の上部に蓋体１４を有する。
【００２０】
第１のカップ１１は、透明又は半透明なプラスチック製の容器で、上側が開放された第１開口端部１９を有して有底筒状としている。第１のカップ１１の容量は、第２のカップ１３の容量よりも大きい。
【００２１】
また、図３（ｂ）に示すように、第１のカップ１１の容器本体には、米の合数を計量する米家量用目盛２５と、図３（ａ）に示すように、その米の合数に応じて計量する水計量用目盛２４とが本体の表面に配設されている。すなわち、第１のカップ１１は、容器本体により米を計量できると共に、そのお米２６に応じた水の量も計量することができる。
【００２２】
また、図２（ｂ）に示すように、第１のカップ１１の第１開口端部１９の外壁１７ａには、接続部材１２の下部と連結する第１雄ネジ１５ａが形成されている。
【００２３】
第２のカップ１３は、第１のカップ１１と同様のプラスチック製の容器、有底筒状としている。すなわち、第２のカップ１３は、図２（ａ）に示すように、第１カップとの連結状態では、上側に底部を有し、下側に下方に開放された第２開口端部２０を有する。
【００２４】
また、第２のカップ１３の底板２２には、複数個の排水孔２３が穿設されている。排水孔２３は、米研ぎして洗米した後の研ぎ水２７を第２のカップ１３から外方に排出可能としている。
【００２５】
そして、第２のカップ１３は、予め設定した洗米可能なお米２６の量以上の体積としている。これにより、洗米後の米を第２のカップ１３内に保持することができる。
【００２６】
さらに、第２のカップ１３の第２開口端部２０の外壁１７ｂには、接続部材１２の下部と連結する第２雄ネジ１５ｂが形成されている。また、第２のカップ１３の底部側の外壁１７ｃには第３雄ネジ１５ｃが形成されている。
【００２７】
接続部材１２は第１のカップ１１と第２のカップ１３とを接続させるもので、内壁１８には雌ネジ１６ａ、１６ｂが形成されている。すなわち、図２（ｂ）に示すように、接続部材１２の下部側内壁１８ａには第１のカップ１１を接続する第１雌ネジ１６ａが形成され、接続部材１２の上部側内壁１８ｂには第２のカップ１３を接続する第２雌ネジ１６ｂが形成されている。
【００２８】
接続部材１２の内壁１８の中央部には、第１のカップ１１及び第２のねじ込みを係止する係止部２８が配設されている。係止部２８は、図２（ｂ）に示すように、接続部材１２の内壁１８の中央部において環状に構成されている。その環状の係止部２８の下端部には第１のカップ１１の第１開口端部１９が係止され、係止部２８の上端部には第２のカップ１３の第２開口端部２０が係止される。
【００２９】
そして、係止部２８に第１のカップ１１の第１開口端部１９及び第２のカップ１３の第２開口端部２０を係止したとき、第１のカップ１１の第１開口端部１９側の下部側内壁１８ａ、第２のカップ１３の第２開口端部２０側の上部側内壁１８ｂ及び係止部２８の内壁１８は面一にすることができる。これにより、図２（ａ）に示すように、第１のカップ１１の第１開口端部１９と第２のカップ１３の第２開口端部２０とをほぼ突き合わせ状態で連結することができる。
【００３０】
第１雌ネジ１６ａの形成方向及び第２雌ネジ１６ｂの形成方向（右ねじ方向）は同じであり、第１雄ネジ１５ａの形成及び第２雄ネジ１５ｂの形成方向も同じである。
【００３１】
これにより、接続部材１２は、第１のカップ１１に対して時計回りに回転させることにより、第１のカップ１１に接続することができ、第２のカップ１３は、接続部材１２に対して時計回りに回転させることにより、第１のカップ１１及び接続部材１２と接続可能となる。
【００３２】
このように構成することにより、接続部材１２に対して、第１のカップ１１を取外しする回転方向と、第２のカップ１３を取外しする回転方向とは逆の関係を有する。これにより、第１のカップ１１と第２のカップ１３とが、米研ぎのシェイク時に第１のカップ１１と第２のカップ１３とが脱落することが少なくなる。
【００３３】
なお、接続部材１２に第１のカップ１１と第２のカップ１３とが接続された状態での位置合わせを確認する位置あわせ線（図示せず）を入れることができる。すなわち、すべての部材が接続された状態でそれらの位置あわせ線が一つの線上になるように、第１のカップ１１の第１の開口端部側と第２のカップ１３の開口端部側との位置合わせ線を配設すると共に、接続部材１２にも位置合わせ線を配設する。これにより、洗米容器１０の接続状態を確認することができると共に、シェイク状態での脱落を防止することができる。
【００３４】
蓋体１４には、開放された第３開口端部２１側の内壁３１に第３雌ネジ１６ｃが形成されている。これに対して、第２のカップ１３の底部周縁の外壁１７ｃには第３雄ネジ１５ｃが形成されている。このようにして、蓋体１４は第２のカップ１３の底部周縁に螺着可能としている。
【００３５】
次に、米研ぎの方法について図４を参照して説明する。まず、図４（ａ）に示すように、第１のカップ１１にお米を炊く量を計量しながら、必要量のお米２６を投入する。次いで、図４（ｂ）に示すように、米研ぎ用の研ぎ水２７を第１のカップ１１に投入する。
【００３６】
この後、図４（ｃ）に示すように、接続部材１２を第１のカップ１１の上端部を右ネジ方向に回転させながら連結する。また、第２のカップ１３を、接続部材１２の上部に連結し、第２のカップ１３を右ネジ方向に回転させながら、第２のカップ１３と接続部材１２とを連結させる。さらに、蓋体１４を、第２のカップ１３の底部側に被せ、右ネジ方向に回転させながら連結させる。
【００３７】
そして、図４（ｄ）に示すように、すべて部材が連結された状態で、洗米容器１０を手に持って上下にシェイクする。これにより、洗米容器１０の内部に収容したお米２６と研ぎ水２７とを攪拌することによりお米２６を洗米することができる。
【００３８】
この後、図４（ｅ）に示すように、蓋体１４を取り外して、洗米容器１０の蓋体１４側が底になるように、反転させた状態にして、第２のカップ１３に配設された排水孔２３より白濁した研ぎ水２７を捨てる。
【００３９】
次に、また、第２のカップ１３を取外しして、新たな研ぎ水２７を入れる。そして、第２のカップ１３と蓋体１４とを連結して、再度、洗米容器１０を手に持って上下にシェイクして米研ぎする。このように、研ぎ水２７を入れて、シェイクして研ぎ水２７を捨てるフローを数回繰り返す。
【００４０】
最後に、図４（ｆ）に示すように、米研ぎした米を第２のカップ１３に保持し、第１のカップ１１にはお米２６の量に応じた研ぎ水２７を計量しながら挿入する。そして、洗米したお米２６と計量した炊飯用の水２９とを、飯盒３０に挿入して、お米２６を炊くようにしている。炊飯用の水は浄化されたものを使用することができる。
【００４１】
以上のようにして、手に研ぎ水２７をつけることなく、洗米容器１０によりお米２６を研ぐことができる。また、本実施例における洗米容器１０は、上記のようにプラスチック製とすることにより軽量を有し、また携帯性を有する。これにより、例えば、キャンプの飯盒３０に使用する洗米容器１０とすることができる。
【００４２】
また、本実施例における洗米容器１０は、第２のカップ１３の容量が予め設定した洗米可能なお米２６の量以上の体積としていることから、第２のカップ１３に洗米後の米を保持することができ、第１のカップ１１で必要な水を計量することができる。
【００４３】
さらに、本実施例における洗米容器１０では、第１のカップ１１の第１開口端部１９と第２のカップ１３の第２開口端部２０をほぼ突き合わせ状態で連結することができ、その突き合わせ部では洗米時に米が停滞しにくくなる。
【符号の説明】
【００４４】
１０  洗米容器
１１  第１のカップ 
１２  接続部材
１３  第２のカップ
１４  蓋体
１５ａ〜１５ｃ  雄ネジ
１６ａ〜１６ｃ  雌ネジ
２３  排水孔
３０  内壁
【図１】
2011234800.tif 000003
【図２】
2011234800.tif 000004
【図３】
2011234800.tif 000005
【図４】
2011234800.tif 000006
【図５】
2011234800.tif 000007